(57)【要約】【課題】  安全かつ効率的に容器弁の取り付けおよび取り外しができるボンベ容器弁用取付治具を提供する。【解決手段】  １トンボンベのような大型のボンベのボンベ容器弁を包み込んで保持する筒状のボックス、および該ボックスの回転軸と同軸に接続された柄からなり、柄の手元側がレンチを嵌め合わせることができる六角柱または四角柱をなしている、ボンベ容器弁用取付治具。【選択図】図１
2009208204.tif 000002
【特許請求の範囲】
【請求項１】
ボンベ容器弁を包み込んで保持する筒状のボックス、および該ボックスの回転軸と同軸に接続された柄からなり、
柄の手元側がレンチを嵌め合わせることができる六角柱または四角柱をなしている、ボンベ容器弁用取付治具。
【発明の詳細な説明】
【技術分野】
【０００１】
本発明は、ボンベ容器弁用取付治具に関する。より詳細には、本発明は、安全かつ効率的に容器弁の取り付けおよび取り外しができるボンベ容器弁用取付治具に関する。
【背景技術】
【０００２】
ボンベの容器弁は、ボンベの中で最も弱い部分であり、ガス漏れなどの事故の主要な原因となっている。そのために、容器弁の部分を保護するためのカバーが設けられている。小型のボンベの場合はこのカバーを取り外して容器弁のスピンドルを操作する。図３および図４に示すような１トンボンベのような大型のボンベの場合は、容器本体を保護するためのプロテクター９および１１と、容器弁の部分を保護するためのカバー８が設けられている。プロテクター９およびカバー８はボンベに固定されており、取り外しが容易にできない。カバーの一部が開閉でき、その開口からレンチ等を差し込んで、容器弁の大型ボンベへの取り付けおよびボンベからの取り外しなどの操作を行う。
しかし、開口は狭く、プロテクター９やカバー８の側壁が空間を制限し、操作が容易でないことが多い。また無理な姿勢からのレンチ操作で容器弁に傷を付けたりすることがある。
【０００３】
【非特許文献１】日本工業規格ＪＩＳ  Ｂ  ８２４１
【発明の開示】
【発明が解決しようとする課題】
【０００４】
本発明の目的は、安全かつ効率的に容器弁の取り付けおよび取り外しができるボンベ容器弁用取付治具を提供することにある。
【課題を解決するための手段】
【０００５】
本発明者は、前記目的を達成するために鋭意検討した結果、ボンベ容器弁を包み込んで保持する筒状のボックス、および該ボックスの回転軸と同軸に接続された柄からなり、
柄の手元側がレンチを嵌め合わせることができる六角柱または四角柱をなしている、ボンベ容器弁用取付治具を用いることによって、安全かつ効率的に容器弁の取り付けおよび取り外しができることを見出した。この知見に基づきさらに検討することによって本発明を完成するに至った。
【発明の効果】
【０００６】
本発明のボンベ容器弁用取付治具を用いることによって、安全かつ効率的に容器弁の取り付けおよび取り外しができる。
【発明を実施するための最良の形態】
【０００７】
本発明のボンベ容器弁用取付治具の実施形態について、図面を参照しながら説明する。図１は本発明のボンベ容器弁用取付治具の一実施形態を示す図である。図２は図１に示したボンベ容器弁用取付治具を大型ボンベのボンベ容器弁に被せた状態を示す図である。図３は１トンボンベの一例を示す図である。図４は図３に示した１トンボンベの左側面を示す図である。
【０００８】
ボンベ容器５（ボンベ頭部のみ図示している）は、高圧ガス容器用継目無鋼管（ＪＩＳ  Ｇ  ３４２９  により規定）に底部および頭部の加工をして作られる。ボンベの形状には、凸形（略号ト）、凹形（略号オ）、裾付形（略号ハ）の３種類がある。ボンベ容器の頭部には容器弁を螺合させるための螺旋孔が開いている。
高圧ガスはボンベ頭部の螺旋孔に容器弁６を螺合することによって封じられている。容器弁は、通常、ボンベ容器に螺合するための螺合部と、バルブ本体と、スピンドル弁と、安全弁と、ガス出口とを含んでなるものである。スピンドル弁の開閉によって、ボンベ容器内のガスがガス出口から排出される。
【０００９】
安全弁はボンベ容器内の圧力が何らかの理由で閾値を超えたときに開放され、ボンベ内のガス圧を下げる役割をする。容器弁には、スピンドル弁の操作のためにハンドルが取り付けられているものと、ハンドルがなく専用レンチを差し込んで操作するものとがある。
ガス出口には、レギュレーターなどを接続することができる。使用していないときは袋ナットや保護用キャップがガス出口に装着されている。
【００１０】
本発明のボンベ容器弁用取付治具１は、筒状のボックス２、および該ボックスの回転軸と同軸に接続された柄３からなる。
ボックス２は、ボンベ容器弁６を包み込んで保持する内腔を有する。ボックスの内腔でボンベ容器弁６を保持した状態でボックスを回転させることで、ボンベ容器弁を回転させ螺合部７をボンベ容器５から抜き外したり、ボンベ容器５に取り付けたりすることができる。ボックスは、レンチ等に使用される硬い金属材料で構成されている。なお、ボックス２をボンベ容器弁６に被せるときは、ボンベ容器弁６に繋がっていたレギュレーターや配管等は取り外す。
【００１１】
内腔の大きさがボンベ容器弁の大きさに適合する場合には、ボックスをボンベ容器弁に単に被せるだけで、ボンベ容器弁を本発明冶具で回すことができる。ボックスには、ボックスの側壁に螺子穴が穿たれていて、前記螺子穴に螺合可能な螺旋棒（図示せず。）を設けることができる。螺旋棒のボックス内腔側先端に板が取り付けられている。内腔の大きさがボンベ容器弁の大きさよりも大きい場合には、螺旋棒を回転させて先端の板の位置を前後させ、該板とボックス側壁との間でボンベ容器弁を挟持することができる。
【００１２】
柄３は、ボックス２の回転軸と同軸に接続されている。柄の長さは、ボンベのカバー８の大きさに応じて適宜選択できる。柄はボックスにトルクを伝えることができる程度の剛性および弾性を有する材料で構成されている。柄の手元側には、レンチを嵌め合わせることができる六角柱または四角柱をなした手元部４を有している。手元部にレンチを嵌め合わせ回転させることで、柄を通じてボックスが回転し、ボンベ容器弁を回転させることができる。
ボンベ容器弁のカバー８の大きさはボンベの大きさに応じて様々である。柄の長さがカバーの大きさにくらべ短いときには、六角柱や四角柱を成した柄の手元側にボックスレンチ（図示せず。）を被せ、接続することで、柄の長さをボックスレンチで延長することができる。
【００１３】
このような、ボンベ容器弁用取付治具を用いることによって、安全かつ効率的にボンベ容器弁の取り付けおよび取り外しができる。
【図面の簡単な説明】
【００１４】
【図１】本発明のボンベ容器弁用取付治具の一実施形態を示す図である。
【図２】図１に示したボンベ容器弁用取付治具をボンベ容器弁に被せた状態を示す図である。
【図３】１トンボンベの一例を示す図である。
【図４】図３に示した１トンボンベの左側面を示す図である。
【符号の説明】
【００１５】
１：ボンベ容器弁用取付治具
２：ボックス
３：柄
４：手元部
５：ボンベ容器
６：容器弁
７：螺合部
８：カバー
９：前部プロテクター
１０：安全栓
１１：後部プロテクター
【図１】
2009208204.tif 000003
【図２】
2009208204.tif 000004
【図３】
2009208204.tif 000005
【図４】
2009208204.tif 000006